(57)【要約】【課題】  セル電圧検出用端子の取出部におけるシール性を向上する。【解決手段】  複数積層されたセパレータ２を備える燃料電池スタックであって、セパレータ２から延びる端子３と、端子３を挿通させるための複数の貫通孔２１が形成されたパッキン２０と、パッキン２０を包囲し且つパッキン２０の下面２２を支持するパッキン収納凹部１２を有するとともに端子３を挿通させるための貫通孔１３を有するパッキンケーシング１１と、パッキン２０の上面および側面を押圧するテーパ面３７ａと膨出部３７ｂを有するコネクタハウジング３０と、を備え、パッキン２０の貫通孔２１の内面と端子３の外面が隙間なく接触する。【選択図】    図６
2006024411.tif 000002
【特許請求の範囲】
【請求項１】
複数積層されたセパレータを備える燃料電池スタックであって、
任意の前記セパレータから延びる端子と、
前記端子を挿通させるための複数の貫通孔を有するとともに各貫通孔に独立の周壁部を有するパッキンと、
前記パッキンを包囲し且つ前記パッキンの下面を支持するパッキン収納凹部を有するとともに前記端子を挿通させるための貫通孔を有するパッキンケーシングと、
前記パッキンにおける前記各周壁部の上面および側面を押圧する押圧面を有するコネクタ部材と、
を備え、
前記周壁部の側面と該側面を押圧する前記押圧面の少なくともいずれか一方には他方側に膨出して該他方に圧接する膨出部が設けられ、
前記パッキンの貫通孔の内面と前記端子の外面が隙間なく接触していることを特徴とする燃料電池スタック。
【請求項２】
前記パッキンが押圧される前から、前記パッキンの貫通孔の内面と前記端子の外面が隙間なく接触していることを特徴とする請求項１に記載の燃料電池スタック。
【請求項３】
前記パッキンにおける前記周壁部の上面には前記貫通孔の開口周縁を頂部とする山形形状の突部が設けられ、該上面に対する前記押圧面は前記突部の山形形状に沿う形状をなしていることを特徴とする請求項１に記載の燃料電池スタック。
【請求項４】
前記パッキンにおける前記周壁部は周方向に稜線を有しないことを特徴とする請求項３に記載の燃料電池スタック。
【発明の詳細な説明】
【技術分野】
【０００１】
この発明は、燃料電池スタックに関し、特に、各セルの電圧測定に用いられる端子周りの防水構造に関するものである。
【背景技術】
【０００２】
燃料電池自動車等に搭載される燃料電池には、固体高分子電解質膜をアノード電極とカソード電極とで挟んで膜電極構造体を形成し、この膜電極構造体を一対のセパレータで挟持してセル（単位燃料電池）とするものがあり、この種の燃料電池では、一般に、セルを複数積層して燃料電池スタックとして用いる。
この燃料電池では、アノード電極に燃料ガス（例えば水素ガス）を供給し、カソード電極に酸化剤ガス（例えば酸素を含む空気）を供給すると、アノード電極で水素ガスがイオン化して固体高分子電解質中を移動し、電子は、外部負荷を通ってカソード電極に移動し、酸素と反応して水を生成する。この一連の電気化学反応により電気エネルギを取り出すことができる。
【０００３】
この種の燃料電池では、運転時において各セルが正常な状態にあるか否かを判別するために、各セルを構成するセパレータ間の電圧（以下、セル電圧という）の測定を行い各セルの発電状態を管理している。
セル電圧検出回路に接続されたリード線とセパレータとを接続する従来技術としては、例えば、特許文献１に記載されているように、セパレータに形成された端子に、リード線の先端に設けたソケット状のコネクタを差し込む構造のものが知られている。
【特許文献１】特開平１１−３３９８２８号公報
【発明の開示】
【発明が解決しようとする課題】
【０００４】
ところで、燃料電池では、外部から進入する水分によるセル間の短絡を回避するために、前記端子周りに防水処理を施さなければならない。しかしながら、積層されたセパレータの数に等しい多数の端子毎に個別に防水部材を設けるのは、煩雑を極め、生産性が悪い。
そこで、この発明は、端子毎に個別に防水部材を設けることなく、複数の端子からなる端子群をまとめて防水することができ、且つ、シール性に優れた防水機構を備えた燃料電池スタックを提供するものである。
【課題を解決するための手段】
【０００５】
上記課題を解決するために、請求項１に係る発明は、複数積層されたセパレータ（例えば、後述する実施例におけるセパレータ２）を備える燃料電池スタック（例えば、後述する実施例における燃料電池スタック１）であって、任意の前記セパレータから延びる端子（例えば、後述する実施例における端子３）と、前記端子を挿通させるための複数の貫通孔（例えば、後述する実施例における貫通孔２１）を有するとともに各貫通孔に独立の周壁部（例えば、後述する実施例における起立部２８）を有するパッキン（例えば、後述する実施例におけるパッキン２０）と、前記パッキンを包囲し且つ前記パッキンの下面（例えば、後述する実施例における下面２２）を支持するパッキン収納凹部（例えば、後述する実施例におけるパッキン収納凹部１２）を有するとともに前記端子を挿通させるための貫通孔（例えば、後述する実施例における貫通孔１３）を有するパッキンケーシング（例えば、後述する実施例におけるパッキンケーシング１１）と、前記パッキンにおける前記各周壁部の上面（例えば、後述する実施例における突部２５）および側面（例えば、後述する実施例における側面２８ａ）を押圧する押圧面（例えば、後述する実施例におけるテーパ面３７ａ、膨出部３７ｂ、平坦面３７ｃ）を有するコネクタ部材（例えば、後述する実施例におけるコネクタハウジング３０）と、を備え、前記周壁部の側面と該側面を押圧する前記押圧面の少なくともいずれか一方には他方側に膨出して該他方に圧接する膨出部（例えば、後述する実施例における膨出部２９，３７ｂ）が設けられ、前記パッキンの貫通孔の内面と前記端子の外面が隙間なく接触していることを特徴とする。
このように構成することにより、パッキンの貫通孔と端子の間のシール性が向上し、また、端子を正確に位置決めして配列することができる。特に、膨出部を設けた部位においては、パッキンの貫通孔の内面と端子の外面が強く圧接されるので、シール性が高まる。
【０００６】
請求項２に係る発明は、請求項１に記載の発明において、前記パッキンが押圧される前から、前記パッキンの貫通孔の内面と前記端子の外面が隙間なく接触していることを特徴とする。
このように構成することにより、パッキンを押圧し圧縮したときに、パッキンの貫通孔の内面を端子の外面に強く圧接することができる。
【０００７】
請求項３に係る発明は、請求項１に記載の発明において、前記パッキンにおける前記周壁部の上面には前記貫通孔の開口周縁を頂部（例えば、後述する実施例における頂部２５ａ）とする山形形状の突部（例えば、後述する実施例における突部２５）が設けられ、該上面に対する前記押圧面（例えば、後述する実施例におけるテーパ面３７ａ）は前記突部の山形形状に沿う形状をなしていることを特徴とする。
このように構成することにより、パッキンの突部とコネクタ部材の押圧面との接触面積（すなわち、シール部の面積）を大きくすることができる。また、パッキンの突部はコネクタ部材の押圧面から斜め内方に向かう力を受けて圧縮するようになるので、パッキンの貫通孔の内面を端子の外面に、より強く圧接させることができる。
【０００８】
請求項４に係る発明は、請求項３に記載の発明において、前記パッキンにおける前記周壁部は周方向に稜線を有しないことを特徴とする。
このように構成することにより、パッキンを圧縮変形したときに、押圧面に対するパッキンの追従性が良好になり、押圧面に対する密着性を高くすることができる。
【発明の効果】
【０００９】
請求項１または請求項２に係る発明によれば、パッキンの貫通孔と端子の間のシール性が向上する。また、端子を正確に位置決めして配列することができるので、端子をコネクタ部材のコネクタに接続するのが容易になる。
請求項３に係る発明によれば、パッキンの突部とコネクタ部材の押圧面との接触面積（すなわち、シール部の面積）を大きくすることができ、また、パッキンの貫通孔の内面を端子の外面に、より強く圧接させることができるので、シール性がさらに向上する。
請求項４に係る発明によれば、パッキンを圧縮変形したときに、押圧面に対するパッキンの突部の追従性が良好になり、押圧面に対する密着性を高くすることができて、シール性がさらに向上する。
【発明を実施するための最良の形態】
【００１０】
以下、この発明に係る燃料電池スタックの実施例を図１から図１０の図面を参照して説明する。
図１に示すように、燃料電池スタック１は、図示しないスタックハウジング内に、図示しない膜電極構造体を挟み込むセパレータ２が複数積層されて構成されている。また、燃料電池スタック１は、隣り合うセパレータ２，２間の電圧を測定するためのコネクターユニット１０を備えている。
【００１１】
図２に示すように、セパレータ２は、その上端部から上方に向かって延びる板状の端子３を備えている。セパレータ２が積層された状態において、隣り合うセパレータ２，２では互いに端子３の設置位置がずれており、積層方向に列をなす二列の端子群３Ａ，３Ａに分けられている。これら端子３の基部３ａはゴムで被覆され、先端部３ｂは金属面が露出していて、基部３ａが前記スタックハウジングの図示しない窓を挿通し、先端部３ｂをコネクタユニット１０に向かって突き出している。
【００１２】
コネクタユニット１０は、パッキンケーシング１１と、二つのパッキン２０，２０と、コネクタハウジング３０と、カバー４０とを備えている。
パッキンケーシング１１は前記スタックハウジングの上部に設置される部材であり、パッキンケーシング１１の上面１１ａには、端子群３Ａ，３Ａに対応する位置にセパレータ２の積層方向に沿って細長く形成されたパッキン収納凹部１２が、端子群３Ａと１対１の対応関係で設けられている。また、パッキンケーシング１１の上面１１ａには、各パッキン収納凹部１２の周囲を環状に取り囲むようにＯリング収容溝１５が設けられていて（図４参照）、各Ｏリング収容溝１５にＯリング１６が収容されている。
【００１３】
図４、図５に示すように、パッキンケーシング１１の底面１１ｂには、各端子３に対応する位置に、底面１１ｂからパッキン収納凹部１２に貫通する貫通孔１３が、端子３と１対１の対応関係で設けられており、同一端子群３Ａにおいて隣接する貫通孔１３，１３の間にはブリッジ部１４が設けられている。ブリッジ部１４の上面はパッキン収納凹部１２の底面１２ａと面一に連なっている。なお、貫通孔１３は端子３を隙間を有して挿通可能な寸法に形成されており、下側がテーパ孔、上側がストレート孔になっている。
【００１４】
パッキン２０，２０は弾性材料で形成されており、それぞれパッキンケーシング１１のパッキン収納凹部１２に収納される。パッキン２０を構成する弾性材料としては、例えば、ニトリルゴム（ＮＢＲ）、水素化ニトリルゴム（ＨＮＢＲ）、フッ素ゴム（ＦＫＭ，ＦＦＫＭ）、アクリルゴム（ＡＣＭ）、シリコーンゴム（ＶＭＱ，ＦＶＭＱ）、ウレタンゴム（ＡＵ，ＥＵ）、エチレンプロピレンゴム（ＥＰＭ，ＥＰＤＭ）、クロロプレンゴム（ＣＲ）、クロロスルフォン化ポリエチレン（ＣＳＭ）、エピクロルヒドリンゴム（ＣＯ，ＥＣＯ）、イソプレンゴム（ＩＲ）、スチレンブタジエンゴム（ＳＢＲ）、ブタジエンゴム（ＢＲ）、ノボルネンゴム（ＮＯＲ）、天然ゴム、その他熱可塑性エラストマー等を挙げることができる。
【００１５】
図３〜図５に示すように、パッキン２０は、略直方体形状のベース部２７と、ベース部２７から上方に突出する多数の起立部（周壁部）２８から構成されており、起立部２８は端子３と１対１の対応関係で設けられている。
ベース部２７の平面形状および平面寸法はパッキン収納凹部１２にほぼ隙間なく収まるように設定されている。
起立部２８は４つの側面２８ａを有する略直方体形状をなし、起立部２８の上面は山形形状をなす突部２５に形成されている。詳述すると、突部２５は、平坦な頂部２５ａとこれに末広がりに連なる４つのテーパ面（側面）２５ｂからなる四角錐台形状（すなわち、頭を切った四角錐形状）をなし、各テーパ面２５ｂが起立部２８の側面２８ａに連なっている。
【００１６】
また、パッキン２０には、端子３を挿通させるための貫通孔２１が、端子３と１対１の対応関係で、下面２２から各起立部２８の頂部２５ａに貫通して形成されている。すなわち、起立部２８は各貫通孔２１毎に独立して設けられている。
各貫通孔２１の下側部分は、端子３においてゴム被覆がされている基部３ａを挿通させるための下部貫通孔２１ａにされており、各貫通孔２１の上側部分は、端子３において金属面が露出する先端部３ｂを挿通させるための上部貫通孔２１ｂにされていて、この上部貫通孔２１ｂが頂部２５ａの中央に開口している。下部貫通孔２１ａと上部貫通孔２１ｂとの境界は起立部２８の突部２５よりも下方であってベース部２７よりも上方に位置している。上部貫通孔２１ｂの横断面は下部貫通孔２１ａよりも小さく、また、下部貫通孔２１ａの横断面は端子３の基部３ａの横断面よりも若干小さく設定され、上部貫通孔２１ｂの横断面は端子３の先端部３ｂの横断面よりも若干小さく設定されている。また、下部貫通孔２１ａの下縁部は下方に向かって拡径するテーパ孔２１ｃとなっている。
なお、パッキン２０をパッキン収納凹部１２をに収納したとき、パッキン収納凹部１２は、パッキン２０の側面、つまり、ベース部２７の側面２７ａと各起立部２８の側面２８ａを包囲し且つパッキン２０の下面２２を支持する。
【００１７】
コネクタハウジング３０は、パッキンケーシング１１の上に配置されてパッキン２０に押圧力を加えて圧縮させるためのものであり、平面形状および平面寸法はパッキンケーシング１１と同じにされている。図２に示すように、コネクタハウジング３０の上面３０ａには、コネクタ収納凹部３４が形成されている。
図４、図５に示すように、コネクタハウジング３０の底面３０ｂには、各端子群３Ａ，３Ａに対応する位置に、細長い突部３１，３１が互いに平行をなして設けられている。各突部３１の平面形状および平面寸法はパッキンケーシング１１のパッキン収納凹部１２に若干の隙間を有して挿入可能に設定されている。
【００１８】
突部３１には、その底面３１ａからコネクタ収納凹部３４に貫通する貫通孔３３が、各端子３に対応する位置に端子３と１対１の対応関係で設けられており、隣り合う貫通孔３３はブリッジ部３５によって離隔されている。コネクタ収納凹部３４に開口する貫通孔３３の上部は、端子３の先端部３ｂを隙間を有して挿通させるストレートな端子挿通孔３６となっており、貫通孔３３の下部は、パッキン２０の起立部２８を収容するパッキン収容孔３７となっている。
端子挿通孔３６に連なるパッキン収容孔３７の上部内面は、端子挿通孔３６に接近するにしたがって断面縮小するテーパ面３７ａとなっており、テーパ面３７ａはパッキン２０の突部２５におけるテーパ面２５ｂに沿った形状をなし、テーパ面２５ｂを押圧する押圧面として機能する。一方、パッキン収容孔３７の下端内面には、内側へ断面半円状に膨出する膨出部３７ｂが形成されている。この膨出部３７ｂの最大膨出部におけるパッキン収容孔３７の内のり寸法は、パッキン２０の起立部２８における側面２８ａの外形寸法よりも若干小さくされていて、膨出部３７ｂは起立部２８の側面２８ａを押圧する押圧面として機能する。そして、テーパ面３７ａの下端と膨出部３７ｂの上端は、鉛直方向に平坦な平坦面３７ｃによって接続されている。
【００１９】
図２に示すように、コネクタハウジング３０のコネクタ収納凹部３４には、コネクタホルダ３８に支持された多数のコネクタ３９が収納される。コネクタ３９は各端子挿通孔３６に対応する位置に配置され、図示しない電圧測定回路基板に接続される。コネクタユニット１０が正しく設置されたときには、各セパレータ２の端子３の先端部３ｂが各コネクタ３９に接続される。
カバー４０はコネクタハウジング３０の上に設置してコネクタ収納凹部３４を塞ぐもので、平面形状および平面寸法はコネクタハウジング３０と同じにされている。
【００２０】
次に、スタックハウジングへのコネクタユニット１０の取り付け手順を説明する。なお、この実施例では、予めコネクタハウジング３０のコネクタ収納凹部３４にコネクタ３９を固定しておくものとする。
まず、各セパレータ２の端子３をパッキンケーシング１１の各貫通孔１３に挿通するとともに、パッキンケーシング１１を図示しないスタックハウジングにねじで固定する。パッキンケーシング１１をスタックハウジングに固定すると、貫通孔１３を貫通した各端子３が、パッキンケーシング１１のパッキン収納凹部１２において上方に向かって突き出た状態になる。この後、パッキンケーシング１１の各Ｏリング収容溝１５にＯリング１６を配置する。なお、このときＯリング１６の上端部がパッキンケーシング１１の上面１１ａから若干突出するように、Ｏリング収容溝１５とＯリング１６の断面寸法が設定されている。
【００２１】
次に、各端子３をパッキン２０の各貫通孔２１に差し込みながら、パッキン２０をパッキン収納凹部１２に収納する。ここで、パッキン２０における貫通孔２１の横断面が端子３の横断面よりも若干小さいので、下部貫通孔２１ａの内面が端子３の基部３ａの外面に密接し、上部貫通孔２１ｂの内面が端子３の先端部３ｂの外面に密接する。図４および図５は、パッキン収納凹部１２にパッキン２０を収納完了したときの状態を示しており、このとき、パッキン収納凹部１２の底面１２ａがパッキン２０の下面２２に当接してパッキン２０を下から支持し、パッキン収納凹部１２の内側面がパッキン２０を包囲する。そして、パッキン２０の頂部２５ａがパッキンケーシング１１の上面１１ａとほぼ同一高さに位置し、各貫通孔２１を貫通した各端子３の先端部３ｂがパッキンケーシング１１の上面１１ａよりも上方に突き出た状態になる。したがって、端子３においてゴム被覆されている基部３ａはパッキン２０の貫通孔２１内に留まり、パッキン２０から露出するのは、金属面が露出している先端部３ｂだけである。
【００２２】
次に、パッキン２０から突出する各端子３をコネクタハウジング３０の各貫通孔３３に差し込みながら、コネクタハウジング３０の突部３１，３１をパッキンケーシング１１のパッキン収納凹部１２，１２に挿入し、突部３１の各パッキン収容孔３７にパッキン２０の各起立部２８を挿入する。このとき、パッキン収容孔３７の膨出部３７ｂはパッキン２０の起立部２８における側面２８ａを押圧し圧縮しながら下方へと移動していく。そして、各パッキン収容孔３７のテーパ面３７ａをパッキン２０の各突部２５におけるテーパ面２５ｂに被せるとともに、Ｏリング１６の上にコネクタハウジング３０の底面３０ｂを載置する。パッキン収容孔３７のテーパ面３７ａはパッキン２０のテーパ面２５ｂに沿った形状をなしているので、テーパ面３７ａがテーパ面２５ｂにほぼ均一に面接触する。この状態において、コネクタハウジング３０の下面３０ｂはパッキンケーシング１１の上面１１ａから若干離間しており、また、貫通孔３３を貫通した各端子３の先端部３ｂがコネクタ収納凹部３４内において上方に向かって突き出た状態となり、この先端部３ｂにそれぞれコネクタ３９が接続される。
【００２３】
次に、コネクタハウジング３０の上にカバー４０を配置し、コネクタハウジング３０およびパッキンケーシング１１とともに、図示しないボルトによってスタックハウジングに締結する。図６および図７は締結完了状態を示しているが、これら図ではコネクタ３９およびカバー４０を省略している。
この締結により、Ｏリング１６がコネクタハウジング３０の底面３０ｂにより押圧され圧縮されて、コネクタハウジング３０の下面３０ｂがパッキンケーシング１１の上面１１ａに接触する。その結果、Ｏリング１６はコネクタハウジング３０の底面３０ｂとパッキンケーシング１１のＯリング収容溝１５の内面に圧接し、パッキンケーシング１１とコネクタハウジング３０との間を確実にシールすることができ、この間を通って外部から水分がパッキン収納凹部１２内に浸入するのを確実に防止することができる。
【００２４】
また、パッキン２０の各突部２５におけるテーパ面２５ｂがコネクタハウジング３０における各パッキン収容孔３７のテーパ面３７ａにより押圧され圧縮されて、両テーパ面２５ｂ，３７ａはパッキン２０の各貫通孔２１の周囲において互いに圧接する。これに加えて、パッキン収容孔３７の膨出部３７ｂがパッキン２０の起立部２８における側面２８ａを全周に亘って押圧し圧接している。その結果、外部から水分がコネクタハウジング３０の貫通孔３３を通り、パッキン収容孔３７の内面とパッキン２０の外面との間を通ってパッキン収納凹部１２内に浸入するのを確実に防止することができる。
また、パッキン２０の突部２５のテーパ面２５ｂを傾斜させているので、このテーパ面２５ｂとパッキン収容孔３７のテーパ面３７ａとの接触面積（すなわち、シール部の面積）を大きくすることができ、両テーパ面２５ｂ，３７ａ間におけるシール性が高くなる。
【００２５】
さらに、パッキン２０の下面２２がパッキン収納凹部１２の底面１２ａおよびブリッジ部１４に支持されており、パッキン収容孔３７のテーパ面３７ａがパッキン２０の突部２５のテーパ面２５ｂに面接触しながらパッキン２０を圧縮するので、パッキン２０の突部２５はいずれのテーパ面２５ｂにおいても斜め内方に向かう力で圧縮される。また、これに加えて、パッキン収容孔３７の膨出部３７ｂがパッキン２０の起立部２８における側面２８ａを全周に亘って押圧し圧縮している。その結果、パッキン２０の貫通孔２１の内面が端子３の外面に、より強く圧接するので、貫通孔２１の周囲を確実にシールすることができ、外部から水分が、パッキン２０の貫通孔２１と端子３の間を通ってスタックハウジング内に浸入するのを確実に防止することができる。
また、パッキン２０の下面２２がパッキンケーシング１１におけるパッキン収納凹部１２の底面１２ａおよびブリッジ部１４の上面に強く圧接されるので、パッキンケーシング１１とパッキン２０との間を確実にシールすることができ、この間を通ってパッキン収納凹部１２からスタックハウジング内に水分が浸入するのを確実に防止することができる。
【００２６】
このように、この実施例の燃料電池スタック１によれば、パッキンケーシング１１とコネクタハウジング３０の間、パッキンケーシング１１とパッキン２０の間、パッキン２０の貫通孔２１と端子３の間、コネクタハウジング３０とパッキン２０の間を確実にシールすることができるので、外部からスタックハウジングへの水分の浸入を確実に防止することができ、セル間の短絡などスタックハウジング内での短絡を防止することができる。
また、一つのパッキン２０によって端子群３Ａを構成する複数の端子３をまとめてシールすることができるので、コネクタユニット１０の防水構造を簡単にすることができる。また、端子３の位置決めが容易に且つ正確に行えるので、端子３とコネクタ３９の接続を容易に行うことができる。
【００２７】
なお、図８〜図１１に示すように、コネクタハウジング３０のパッキン収容孔３７に膨出部３７ｂを設ける代わりに、パッキン２０の起立部２８における側面２８ａに、外側に膨出する膨出部２９を側面２８ａを一周するように設け、パッキン収容孔３７にパッキン２０の起立部２８を挿入したときに、パッキン収容孔３７の平坦面３７ｃによってパッキン２０の膨出部２９が押圧され圧縮されるように構成しても、前述した実施例と同様の作用、効果を得ることができる。なお、この場合には、コネクタハウジング３０におけるパッキン収容孔３７の平坦面３７ｃが押圧面を構成する。
【００２８】
〔他の実施例〕
なお、この発明は前述した実施例に限られるものではない。
例えば、パッキン２０の突部２５のテーパ面２５ｂを周方向に稜線が生じないように曲面で繋いで形成するとともに、起立部２８の側面２８ａを周方向に稜線が生じないように曲面で繋いで形成し、コネクタハウジング３０のパッキン収容孔３７も同様の形状にすることも可能である。このようにすると、パッキン２０の起立部２８（周壁部）は周方向に稜線がない形状となるため、パッキン２０が圧縮変形したときのパッキン収容孔３７への追従性が良好で、パッキン収容孔３７に対する密着性を高くすることができ、シール性をさらに向上することができる。
また、前述した実施例では、総てのセパレータ２に端子３を設けているが、一部のセパレータ２だけに端子３を設けてもよい。
【図面の簡単な説明】
【００２９】
【図１】この発明に係る燃料電池スタックの実施例１におけるコネクタユニット周りの外観斜視図である。
【図２】前記実施例１のコネクタユニットの分解斜視図である。
【図３】前記実施例１で用いられるパッキンの外観斜視図である。
【図４】前記実施例１のコネクタユニットにおいてパッキン圧縮前の状態を示す要部拡大断面図である。
【図５】図４のＡ−Ａ断面図である。
【図６】前記実施例１のコネクタユニットにおいてパッキン圧縮後の状態を示す要部拡大断面図である。
【図７】図６のＢ−Ｂ断面図である。
【図８】実施例２のコネクタユニットにおいてパッキン圧縮前の状態を示す要部拡大断面図である。
【図９】図８のＣ−Ｃ断面図である。
【図１０】前記実施例２のコネクタユニットにおいてパッキン圧縮後の状態を示す要部拡大断面図である。
【図１１】図１０のＤ−Ｄ断面図である。
【符号の説明】
【００３０】
１  燃料電池スタック
２  セパレータ
３  端子
１１  パッキンケーシング
１２  パッキン収納凹部
１３  貫通孔
２０  パッキン
２１  貫通孔
２２  下面
２５  突部（上面）
２５ａ  頂部
２８  起立部（周壁部）
２８ａ  側面
２９  膨出部
３０  コネクタハウジング（コネクタ部材）
３７ａ  テーパ面（押圧面）
３７ｂ  膨出部（押圧面）
３７ｃ  平坦面（押圧面）
【図１】
2006024411.tif 000003
【図２】
2006024411.tif 000004
【図３】
2006024411.tif 000005
【図４】
2006024411.tif 000006
【図５】
2006024411.tif 000007
【図６】
2006024411.tif 000008
【図７】
2006024411.tif 000009
【図８】
2006024411.tif 000010
【図９】
2006024411.tif 000011
【図１０】
2006024411.tif 000012
【図１１】
2006024411.tif 000013